(57)【要約】      （修正有）【課題】簡単な構造で、円柱状の内容物が収容されている時の開封を容易にするものである。【解決手段】紙やプラスチック製の一枚のブランクシートから一体的に打ち抜かれた箱体形成片１２からなる。箱体形成片１２には、複数枚の側面１４，１６，１８，２０と、一側面１６の両端部に形成された蓋片４０，４２と、蓋片４０，４２の側面１６と反対側には差込片４４，４６が隣接している。側面２０の端部にはミシン線８４で区切られた開封口８０と、開封口８０の折罫線２８寄りにはミシン線８６で区切られた半円状の付加開封口８２が形成されている。【選択図】        図１
2004269032.tif 000002
【特許請求の範囲】
【請求項１】
一枚のブランクシートから一体的に打ち抜かれた箱体形成片からなり、この箱体形成片には複数枚の側面と、一側面の両端部に形成された蓋片と、その蓋片には上記側面と反対側に差込片が連接され、その蓋片が形成された側面に、隣接せず対向する側面の端部には、端部を基点とする略Ｌ字型のミシン線によって形成された開封口が設けられ、この開封口は、側面を区切る折罫線寄りに、半円状のミシン線によって形成された付加開封口が設けられ、蓋片が形成されている側面と隣接した側面の両端部には、２対のフラップが設けられていることを特徴とする包装用箱。
【発明の詳細な説明】
【０００１】
【発明の属する技術分野】
この発明は、円柱状のビン等を個別に収容される包装用箱であって、差込片が側面裏面と糊付されている箱の開封を、容易にする機能を有する包装用箱に関する。
【０００２】
【従来の技術】
従来、円柱状のビン等を収容して搬送され、そのまま店頭に陳列されたり、病院、薬局で使用される包装用箱があり、このような包装用箱は、一枚のブランクシートから一体的に打ち抜かれた箱体形成片を組み立てたものである。この箱体形成片は、平行に連接された４つの側面と、この一側面の両端部に形成された蓋片と、その蓋片が形成された側面に隣接せず対向する側面の端部には、端部を基点とする略四角形のミシン線によって形成された開封口が設けられている。そして、蓋片が形成された側面に隣接する側面の両端部には、２対のフラップが設けられている。
【０００３】
この包装用箱の組立方法は、糊付片を反対側の側面裏面に糊付し、各側面が９０度になるように折り曲げて四角い箱体に組み立てる。そして箱体の一端部の、一対のフラップを側面に対して９０度に折り曲げ、蓋片とそれに連接した差込片を折り曲げ、差込片に糊付けし、蓋片が形成されている側面と対向する側面の内側に、差込片を挿入し閉鎖する。そして円柱状のビンを収容後、箱体の他端部も同様に閉鎖する。
【０００４】
【発明が解決しようとする課題】
上記従来の技術の場合、差込片は両方で糊付されているため、開封口を指で押し込み、ミシン線を破ることによって蓋片を開ける。この時、開封口は側面のほぼ中央部に位置しており、ビンの蓋の直径と側面の幅に差がなく、ビンの蓋とケース側面との距離が短い時、開封口を指で押し込んでも、ミシン線が破れないことがあった。
【０００５】
この発明は上記従来の問題点に鑑みてなされたものであり、簡単な構造で開封を容易にする効果を有する包装用箱を提供することを目的とする。
【０００６】
【問題を解決するための手段】
この発明は、一枚のブランクシートから一体的に打ち抜かれた箱体形成片からなり、この箱体形成片には複数枚の側面と、一側面の両端部に形成された蓋片と、その蓋片が形成された側面に、隣接せず対向する側面の端部には、端部を基点とするＬ字型のミシン線によって形成された開封口が設けられ、この開封口は、側面を区切る折罫線寄りに、半円状のミシン線によって形成された付加開封口が設けられ、蓋片が形成されている側面と隣接した側面の両端部には、２対のフラップが設けられている。
【０００７】
この発明の包装用箱は、開封口の側面を区切る折罫線寄りに、半円状の付加開封口が設けられているため、開封する時、まずこの半円状の付加開封口を指で押し込み、開封口に爪を引っかけ、Ｌ字型のミシン線を破断しながら開封口を開封する。
【０００８】
半円状の付加開封口が形成されている位置は、四角いケースとビンの丸い蓋との間に隙間が形成されており、半円状の付加開封口を指で押すと容易にケース内部に押し込むことができる。このケース内部に押し込まれた半円状の付加開封口によって、開封口の端部に指を引っかけることができ、開封口を上方向に破ることにより、容易に開封できるものである。
【０００９】
【発明の実施の形態】
以下、この発明の実施形態について図面に基づいて説明する。図１はこの発明の一実施形態の包装用箱１０について示したもので、包装用箱１０は、図１に示すように、箱体形成片１２が紙製もしくはプラスチック製の一枚のブランクシートを打ち抜いて形成されている。
【００１０】
この箱体形成片１２は、側面１４、１６、１８、２０が一体に連接して形成されている。さらに組立状態で側面１４の内側に糊付される糊付片２２が、側面２０の側方に連接して形成されている。側面１４、１６、１８、２０、糊付片２２は、各々折罫線２４、２６、２８、３０で区切られている。
【００１１】
側面１６の端部には蓋片４０が連接され、蓋片４０には折罫線５２を介して差込片４４が設けられている。蓋片４０は、折罫線４８で側面１６の端部と区切られている。側面１６の他端部には蓋片４２が連接され、蓋片４２には折罫線５４を介して差込片４６が設けられている。蓋片４２は折罫線５０で側面１６の端部と区切られている。
【００１２】
側面１４の端部にはフラップ６０が連接され、フラップ６０は折罫線６８で側面１４と区切られている。側面１４の他端部にはフラップ６２が連接され、フラップ６２は折罫線７０で側面１４と区切られている。
【００１３】
側面１８の端部にはフラップ６４が連接され、フラップ６４は折罫線７２で側面１８と区切られている。側面１８の他端部にはフラップ６６が連接され、フラップ６６は折罫線７４で側面１８と区切られている。
【００１４】
側面２０の端部には開封口８０がミシン線８４を介して設けられている。また開封口８０の折罫線２８寄りには、半円状の付加開封口８２がミシン線８６を介して設けられている。ミシン線８４は側面２０の端部を基点とした略Ｌ字型をしており、半円状の付加開封口８２の直線部分端部に終結している。付加開封口８２の直線部分は折罫線２８と略平行である。
【００１５】
次にこの実施形態の包装用箱１０の組立方法について図面に基づいて説明する。なお、ここでは図１がこの箱体形成片１２の表側を見たものであり、図１において紙面表側が凸になる折り方を正折りと称する。まず、糊付片２２に糊３２を塗布する。折罫線２４、２８を正折りし、側面１４の裏面を糊付片２２の表面に糊付する。
【００１６】
次に、折罫線２４、２６、２８、３０を各々９０度になるように正折りして、四角形の箱体にする。フラップ６２を折罫線７０で９０度に正折りに、フラップ６６を折罫線７４で９０度に正折りにする。差込片４６の表面に糊３２を塗布し、差込片４６を折罫線５４で正折りに、蓋片４２を折罫線５０で正折りにし、差込片４６を側面２０の内側に挿入し、側面２０の内側と糊付する。
【００１７】
次に、円柱状のビン等の商品を、封鎖していない箱体の端部から箱体内部に挿入する。その後、フラップ６０を折罫線６８で９０度に正折りに、フラップ６４を折罫線７２で９０度に正折りにする。差込片４４の表面に糊３２を塗布し、差込片４４を折罫線５２で正折りに、蓋片４０を折罫線４８で正折りにし、差込片４４を側面２０に設けられた、開封口８０の裏面に糊付する。
【００１８】
次に、この包装用箱１０を開封する場合について説明する。中に収容している商品を取り出す時には、まず付加開封口８２を指で押え、ミシン線８６の半円状の部分を破断し箱内部に押し込む。半円状のミシン線８６の直線部分に爪を引っかけ、ミシン線８４を破断しながら開封口８０を上方向に開封する。この時、開封口８０には差込片４４が糊付されているため、同時に蓋片４０を開封することになる。
【００１９】
【発明の効果】
この発明は簡単な構造で、円柱状の内容物が収容され、差込片が側面内側に糊付されている時の開封を容易にするものである。特に円柱状のビン等の蓋と箱体との間の隙間が短いものにおいて、効果的である。また、略Ｌ字型のミシン線のパターンおよび付加開封口のパターンは適宜変更可能である。
【図面の簡単な説明】
【図１】この発明の一実施形態の包装用箱の箱体形成片の展開図である。
【図２】この発明の一実施形態の包装用箱の斜視図である。
【図３】この発明の一実施形態の包装用箱の平面図である。
【図４】この発明の開封後の包装用箱の斜視図である。
【符号の説明】
１０  包装用箱
１２  箱体形成片
１４，１６，１８，２０  側面
２２  糊付片
２４，２６，２８，３０，４８，５０，５２，５４，６８，７０，７２，７４  折罫線
３２  糊
４０，４２  蓋片
４４，４６  差込片
６０，６２，６４，６６  フラップ
８０  開封口
８２  付加開封口
８４  ミシン線
８６  半円状ミシン線
【図１】
2004269032.tif 000003
【図２】
2004269032.tif 000004
【図３】
2004269032.tif 000005
【図４】
2004269032.tif 000006